(57)【要約】【課題】  簡単な指定と簡単な操作により、複写の原紙を最新の状態のものに自動的に書き換えて複写出力することが可能な画像出力装置、画像出力方法および画像出力プログラムを提供すること。【解決手段】  原画像を読取る画像読取部と、画像を印刷出力する画像印刷部と、を備えた画像出力装置であって、上記画像読取部で読取った読取画像に含まれた指示データを解析する指示データ解析手段と、上記指示データ解析手段によって解析した指示データに基づいて、情報資源が格納された情報資源格納部から上記指示データで指定された情報資源を検索する検索手段と、上記画像読取部で読取った読取画像と上記検索手段によって検索した情報資源とを比較して同一性があるかないかを判断する判断手段と、上記判断手段によって同一性がないと判断された場合、上記画像印刷部は、上記検索手段によって検索した情報資源を印刷出力する。【選択図】      図１
2006261781.tif 000002
【特許請求の範囲】
【請求項１】
原画像を読取る画像読取部と、画像を印刷出力する画像印刷部と、を備えた画像出力装置において、
前記画像読取部で読取った読取画像に含まれた指示データを解析する指示データ解析手段と、
前記指示データ解析手段によって解析した指示データに基づいて、情報資源が格納された情報資源格納部から前記指示データで指定された情報資源を検索する検索手段と、
前記画像読取部で読取った読取画像と前記検索手段によって検索した情報資源とを比較して同一性があるかないかを判断する判断手段と、
前記判断手段によって同一性がないと判断された場合、前記画像印刷部は、前記検索手段によって検索した情報資源を印刷出力する、
ことを特徴とする画像出力装置。
【請求項２】
前記判断手段によって同一性があると判断された場合、前記画像印刷部は、前記画像読取部で読取った読取画像を印刷出力する、
ことを特徴とする請求項１に記載の画像出力装置。
【請求項３】
前記指示データは、インターネット上に格納された情報資源の格納場所を示すＵＲＬ（Uniform Resource Locator）であり、
前記情報資源は、Ｗｅｂデータである、
ことを特徴とする請求項１または２に記載の画像出力装置。
【請求項４】
前記指示データは、記憶媒体上に格納された情報資源の格納場所を示すファイルアドレスであり、
前記情報資源は、ファイルデータである、
ことを特徴とする請求項１または２に記載の画像出力装置。
【請求項５】
前記判断手段は、前記読取画像の所定位置に記録された日付情報と前記情報資源に含まれた日付情報とが同一であるかないかを判断する、
ことを特徴とする請求項１乃至４の何れか１項に記載の画像出力装置。
【請求項６】
さらに、操作者を認証するための認証手段を備え、
前記認証手段によって予め定めた操作者であると認証された場合、前記画像印刷部は、前記検索手段によって検索した情報資源または前記画像読取部で読取った読取画像を印刷出力する、
ことを特徴とする請求項１乃至５の何れか１項に記載の画像出力装置。
【請求項７】
さらに、前記検索手段が情報資源を検索する際に課金を行なう課金手段を備えること、
を特徴とする請求項１乃至６の何れか１項に記載の画像出力装置。
【請求項８】
前記指示データは、二次元コードで記載されていること、
を特徴とする請求項１乃至７の何れか１項に記載の画像出力装置。
【請求項９】
前記指示データは、前記画像印刷部が印刷出力する際の出力様式を特定するための様式情報を含むこと、
を特徴とする請求項１乃至８の何れか１項に記載の画像出力装置。
【請求項１０】
さらに、画像をファクシミリ送信するファクシミリ手段を備え、
前記指示データは、前記ファクシミリ手段への出力指示をも含むこと、
を特徴とする請求項１乃至９の何れか１項に記載の画像出力装置。
【請求項１１】
原画像を読取る画像読取部と、画像を印刷出力する画像印刷部と、を備えた画像出力装置において実行される画像出力方法であって、
前記画像読取部で読取った読取画像に含まれた指示データを解析し、
前記解析した指示データに基づいて、情報資源が格納された情報資源格納部から前記指示データで指定された情報資源を検索し、
前記画像読取部で読取った読取画像と前記検索した情報資源とを比較して同一性があるかないかを判断し、
前記判断によって同一性がないとされた場合、前記画像印刷部は、前記検索した情報資源を印刷出力する、
ことを特徴とする画像出力方法。
【請求項１２】
原画像を読取る画像読取部と、画像を印刷出力する画像印刷部と、を備えた画像出力装置に実行させるためのコンピュータ実行可能な画像出力プログラムであって、
前記画像読取部で読取った読取画像に含まれた指示データを解析する手順と、
前記解析した指示データに基づいて、情報資源が格納された情報資源格納部から前記指示データで指定された情報資源を検索する手順と、
前記画像読取部で読取った読取画像と前記検索した情報資源とを比較して同一性があるかないかを判断する手順と、
前記判断によって同一性がないとされた場合、前記画像印刷部は、前記検索した情報資源を印刷出力する手順と、
を実行させるための画像出力プログラム。
【発明の詳細な説明】
【技術分野】
【０００１】
本発明は、原画像を読取る画像読取部と画像を印刷出力する画像印刷部とを備えた画像出力装置、画像出力方法および画像出力プログラムに関する。
【背景技術】
【０００２】
従来、複写機等の画像出力装置は、原稿台にセットされる被読取媒体の原画像を操作者の複写操作に応じて読取り、その読取画像を紙等の記録媒体に記録している。
また、ＦＡＸ機能、複写機能、ファイル処理機能等の複数の機能を備えた複合機において、原稿画像のマーク蘭に指示された処理の種類と文書番号を含むコード情報を識別して、複写機能などの所定の複合画像処理を行なう技術が開示されている（例えば、特許文献１参照。）。
【特許文献１】特許第３５６３７８３号公報
【発明の開示】
【発明が解決しようとする課題】
【０００３】
しかしながら、上記特許文献１のような従来技術においては、予め複合機で読取った原稿画像を複合機の外部記憶装置に記憶した後に、記憶したファイルを指定して複写出力しているため、原稿画像を記憶させる操作と、記憶されたファイルを指定する操作とが別々に必要であるという問題点があった。
【０００４】
また、上記特許文献１のような従来技術においては、予め複合機で読取った原稿画像を複合機の外部記憶装置に記憶してあるファイルに対してだけしか複写出力できないので、内容が頻繁に変化するような原稿画像の場合は原稿画像をその都度記憶させなければならず、記憶する操作が煩雑であるという問題点があった。
【０００５】
また、上記特許文献１のような従来技術においては、複写するファイルの指定が、原紙とは別に定められた用紙が必要となるという問題点があった。
本発明は、上記事情に鑑みてなされたもので、簡単な指定と簡単な操作により、複写の原紙を最新の状態のものに自動的に書き換えて複写出力することが可能な画像出力装置、画像出力方法および画像出力プログラムを提供することを目的とする。
【０００６】
また、本発明は、許可された者だけが、簡単な指定と簡単な操作により、複写の原紙を最新の状態のものに自動的に書き換えて複写出力することが可能な画像出力装置、画像出力方法および画像出力プログラムを提供することを目的とする。
【課題を解決するための手段】
【０００７】
本発明は、上記課題を解決するため、下記のような構成を採用した。
すなわち、本発明の一態様によれば、本発明の画像出力装置は、原画像を読取る画像読取部と、画像を印刷出力する画像印刷部と、を備えた画像出力装置であって、上記画像読取部で読取った読取画像に含まれた指示データを解析する指示データ解析手段と、上記指示データ解析手段によって解析した指示データに基づいて、情報資源が格納された情報資源格納部から上記指示データで指定された情報資源を検索する検索手段と、上記画像読取部で読取った読取画像と上記検索手段によって検索した情報資源とを比較して同一性があるかないかを判断する判断手段と、上記判断手段によって同一性がないと判断された場合、上記画像印刷部は、上記検索手段によって検索した情報資源を印刷出力することを特徴とする。
【０００８】
また、本発明の画像出力装置は、上記判断手段によって同一性があると判断された場合、上記画像印刷部が、上記画像読取部で読取った読取画像を印刷出力することが望ましい。
【０００９】
また、本発明の画像出力装置は、上記指示データが、インターネット上に格納された情報資源の格納場所を示すＵＲＬであり、上記情報資源が、Ｗｅｂデータであることが望ましい。
【００１０】
また、本発明の画像出力装置は、上記指示データが、記憶媒体上に格納された情報資源の格納場所を示すファイルアドレスであり、上記情報資源が、ファイルデータであることが望ましい。
【００１１】
また、本発明の画像出力装置は、上記判断手段が、上記読取画像の所定位置に記録された日付情報と上記情報資源に含まれた日付情報とが同一であるかないかを判断することが望ましい。
【００１２】
また、本発明の画像出力装置は、さらに、操作者を認証するための認証手段を備え、上記認証手段によって予め定めた操作者であると認証された場合、上記画像印刷部が、上記検索手段によって検索した情報資源または上記画像読取部で読取った読取画像を印刷出力することが望ましい。
【００１３】
また、本発明の画像出力装置は、さらに、上記検索手段が情報資源を検索する際に課金を行なう課金手段を備えることことが望ましい。
また、本発明の画像出力装置は、上記指示データが、二次元コードで記載されていることが望ましい。
【００１４】
また、本発明の画像出力装置は、上記指示データが、上記画像印刷部が印刷出力する際の出力様式を特定するための様式情報を含むことが望ましい。
また、本発明の画像出力装置は、さらに、画像をファクシミリ送信するファクシミリ手段を備え、上記指示データが、上記ファクシミリ手段への出力指示をも含むことが望ましい。
【００１５】
また、本発明の一態様によれば、本発明の画像出力方法は、原画像を読取る画像読取部と、画像を印刷出力する画像印刷部と、を備えた画像出力装置において実行される画像出力方法であって、上記画像読取部で読取った読取画像に含まれた指示データを解析し、上記解析した指示データに基づいて、情報資源が格納された情報資源格納部から上記指示データで指定された情報資源を検索し、上記画像読取部で読取った読取画像と上記検索した情報資源とを比較して同一性があるかないかを判断し、上記判断によって同一性がないとされた場合、上記画像印刷部は、上記検索した情報資源を印刷出力することを特徴とする。
【００１６】
また、本発明の一態様によれば、本発明の画像出力プログラムは、原画像を読取る画像読取部と、画像を印刷出力する画像印刷部と、を備えた画像出力装置に実行させるためのコンピュータ実行可能な画像出力プログラムであって、上記画像読取部で読取った読取画像に含まれた指示データを解析する手順と、上記解析した指示データに基づいて、情報資源が格納された情報資源格納部から上記指示データで指定された情報資源を検索する手順と、上記画像読取部で読取った読取画像と上記検索した情報資源とを比較して同一性があるかないかを判断する手順と、上記判断によって同一性がないとされた場合、上記画像印刷部は、上記検索した情報資源を印刷出力する手順とを実行させるための画像出力プログラムである。
【発明の効果】
【００１７】
本発明によれば、複写をしたい原紙に予め複写元データを特定の様式で記入しておくだけで、複写操作の際、複写元データが更新されていたら、複写元データを自動検索して最新の更新日と共に最新の内容を複写出力し、複写元データが更新されていなければ、複写元データをそのまま複写出力することができるので、簡単な操作で常に最新の内容の複写出力をすることができる。
【００１８】
また、本発明によれば、複写元データは、ＵＲＬで指定されたＷｅｂのデータでもよいので、時々刻々と変化するホームページ上のデータを複写出力することができる。
また、本発明によれば、複写元データは、ファイル名で指定されたワードやエクセル等のファイルデータでもよいので、常に業務で使用しているファイルの最新の内容を複写出力することできる。
【００１９】
また、本発明によれば、複写元データを検索する際、複写する操作者のユーザ認証を行なうことができるので、許可された者だけが複写元データを複写出力できるようなセキュリティチェックが可能になる。
【００２０】
また、本発明によれば、複写元データを検索する際、課金処理を行なうことができるので、複写を望む利用者に複写費用を負担させることができる。
また、本発明によれば、複写出力の用紙サイズや出力様式を指定することができるので、多様な出力様式に対応できる。
【００２１】
また、本発明によれば、複写元データの記入様式は二次元コードを用いることができるので、複写元データの記入様式を第三者に見せたくないような場合に、人間では判別できないようにすることができる。
【００２２】
また、本発明によれば、複写出力の変わりにＦＡＸ出力をすることができるので、複写操作をするだけで遠隔地に検索後の複写出力を送信することができる。
【発明を実施するための最良の形態】
【００２３】
以下、図面に基づいて本発明を適用した実施の形態を説明する。
まず、本発明の概略を説明する。
本発明の最も大きな特徴は、複写の原紙に予め複写元データを特定の様式で記入しておき、複写操作の時に、複写元データが更新されていたら、複写元データを自動検索して最新の更新日と共に最新の内容を複写出力し、複写元データが更新されていなければ、複写元データをそのまま複写出力することである。
【００２４】
この際の複写元データは、ＵＲＬで指定されたＷｅｂのデータでもよいし、ファイル名で指定されたワードやエクセル等のファイルデータでもよい。
また、複写元データを検索する際、複写する操作者のユーザ認証を行なうことができる。また、複写元データを検索する際、課金処理を行ってもよい。
【００２５】
また、複写出力の用紙サイズや出力様式も指定できるし、複写元データの記入様式は二次元コードでもよい。さらに、複写出力の代わりにＦＡＸ出力としてもよい。
図１は、本発明を適用した複写機（画像出力装置）の機能ブロック図である。
【００２６】
図１において、複写機１０は、通常のディジタル複写機が備えている、原画像を読取る画像読取部１１１、画像読取部で読取った読取画像を格納する読取画像データ格納部１１３、画像読取部１１１で読取った画像を直接に、または読取画像データ格納部１１３に一旦格納された読取画像を呼び出してから印刷出力する画像印刷部１１２の他に、指示データ解析手段１４、検索手段１５、判断手段１６を備える。
【００２７】
上記指示データ解析手段１４は、上記画像読取部１１１で読取った読取画像に含まれた指示データを解析する。
上記検索手段１５は、上記指示データ解析手段１４によって解析した指示データに基づいて、読取画像、Ｗｅｂデータ、ファイルデータ等の情報資源が格納された読取画像データ格納部１１３、インターネット（ネットワーク２０）上のホームページ、ファイルサーバ４０等の情報資源格納部から上記指示データで指定された情報資源を検索する。
【００２８】
上記判断手段１６は、上記画像読取部１１１で読取った読取画像と上記検索手段１５によって検索した情報資源とを比較して同一性があるかないかを判断する。
この判断手段１６が行なう同一性の判断手法は、例えば、上記読取画像の所定位置に記録された日付情報と上記情報資源に含まれた日付情報とが同一であるかないかにより判断する。
【００２９】
そして、上記判断手段１６によって同一性がないと判断された場合、上記画像印刷部１１２は、上記検索手段１５によって検索した情報資源を印刷出力する。他方、上記判断手段１６によって同一性があると判断された場合、上記画像印刷部１１２は、上記画像読取部１１１で読取った読取画像を印刷出力する。
【００３０】
ここで、読取画像に含まれた指示データは、例えば、インターネット（ネットワーク２０）上に格納された情報資源の格納場所を示すＵＲＬ（Uniform Resource Locator）であり、その場合の情報資源は、Ｗｅｂデータである。
【００３１】
また、別の例では、読取画像に含まれた上記指示データは、ファイルサーバ４０等の記憶媒体上に格納された情報資源の格納場所を示すファイルアドレスであり、その場合の上記情報資源は、各種アプリケーションソフトウェアで作成したファイルデータである。
【００３２】
そして、これらの指示データは、上述のＵＲＬやファイルアドレスの他、例えば、二次元コードで記載されている。
また、上記指示データは、上記画像印刷部１１２が印刷出力する際の出力様式を特定するための様式情報を含むことも可能である。
【００３３】
さらに、複写機１０は、操作者を認証するための認証手段を備えることにより、上記認証手段によって予め定めた操作者であると認証された場合にのみ、上記画像印刷部１１２が、上記検索手段１５によって検索した情報資源または上記画像読取部１１１で読取った読取画像を印刷出力する。
【００３４】
さらに、複写機１０は、課金手段を備えることにより、上記検索手段１５が情報資源を検索する際に課金を行なう。
図２は、本発明を適用した複写機により構成される第１の実施の形態における複写システムのシステム構成図である。
【００３５】
図２において、複写機１０は、図１を用いて説明した各機能を備えており、インターネット、ＬＡＮ（Local Area Network）、ＶＰＮ（Virtual Private Network）等のネットワーク２０を介して、インターネット上の様々なＷｅｂサーバ３０と接続されており、複写機１０が備える画像印刷部１１２によってＷｅｂデータを印刷出力する。また、上記複写機１０は、ネットワーク２０を介して、各種アプリケーションソフトウェアで作成したファイルデータを格納するファイルサーバ４０と接続されており、複写機１０が備える画像印刷部１１２によってファイルデータを印刷出力する。
【００３６】
図３は、本発明を適用した複写機により構成される第２の実施の形態における複写システムのシステム構成図である。
図３において、複写機１０は、画像読取部１１１、画像印刷部１１２および読取画像データ格納部１１３から構成される複写部１１を始め、図１を用いて説明した各機能を備えており、図２を用いて説明した第１の実施の形態における複写システムと同様、ネットワーク２０を介して、インターネット上の様々なＷｅｂサーバ３０と接続されており、複写機１０が備える画像印刷部１１２によってＷｅｂデータを印刷出力する。また、上記複写機１０は、ネットワーク２０を介して、各種アプリケーションソフトウェアで作成したファイルデータを格納するファイルサーバ４０と接続されており、複写機１０が備える画像印刷部１１２によってファイルデータを印刷出力する。
【００３７】
さらに、第２の実施の形態における複写システムを構成する複写機１０は、ファイルサーバ４０と同様の機能を備えるファイルサーバ部１２を内部に設けることにより、ネットワーク２０上のファイルサーバ４０へのアクセスの他に、複写機１０の内部に格納したファイルデータを印刷出力する。
【００３８】
図４は、本発明を適用した複写機により構成される第３の実施の形態における複写システムのシステム構成図である。
図４において、複写機１０は、さらに、画像をファクシミリ送信するＦＡＸ部１３を備えることにより、読取画像に含まれた上記指示データが、ファクシミリ送信する旨の出力指示を含んでいた場合、複写機１０が備える画像印刷部１１２による読取画像、Ｗｅｂデータあるいはファイルデータの印刷出力の代わりに、固定電話ネットワーク５０を介して遠隔地へファクシミリ送信することができる。
【００３９】
図５は、本発明を適用した複写機のハードウェア構成を示す図である。
図５において、複写機１０は、バス５００に接続されたＣＰＵ５０１と、ＲＯＭ５０２、ＲＡＭ５０３、Ｖ−ＲＡＭ５０４等のメモリ、外部記憶部５０５、キー入力部５０６、表示部５０７、イメージ読取部５０８、印刷部５０９、通信インターフェース（Ｉ／Ｆ）（インターネット用）５１０、通信Ｉ／Ｆ（ＦＡＸ用）５１１で構成される。
【００４０】
ＲＯＭ５０２には、複写機１０の各機能を制御し実行するための制御プログラムが収納され、外部記憶部５０５には、ユーザ認証用のＩＤやパスワード等の情報が所定の様式で予め格納されているとともに、ファイルを読むための各種プログラム等が収納されている。
【００４１】
なお、上述した第１および第２の実施の形態の場合は、ＦＡＸ用の通信Ｉ／Ｆ５１１は不要である。
次に、本発明を適用した複写機において実行される画像出力処理の流れについて説明する。
【００４２】
図６は、本発明を適用した複写機において実行される画像出力処理の流れを示すフローチャートである。
まず、ステップＳ６００において、操作者が複写を実行するための操作（コピーボタンを押す）を実行したかを確認する。
【００４３】
操作者による複写を実行するための操作がなされると、ステップＳ６０１において、複写する原紙の読込みが実行される。
そして、ステップＳ６０２において、読み込んだ画像（読込みデータ）の中から複写する原紙に記載された指示データ（＃＄ＤＡＴＡ：を予約語として判別）を解析する。
【００４４】
ステップＳ６０３において、ステップＳ６０２で解析した結果、検索の指示を含んでいるか否かを判断する。具体的には、例えば、読取った読取画像を文字認識し、その文字認識した文字列の中に、インターネット上に格納された情報資源の格納場所を示すＵＲＬや、複写機１０自身を含むファイルサーバ４０等の記憶媒体上に格納された情報資源の格納場所を示すファイルアドレスが存在するか否かを判断する。
【００４５】
そして、検索の指示を含んでいると判断した場合（ステップＳ６０３：Ｙｅｓ）は、ステップＳ６０４において、ユーザ認証の指示があるのか否かを判断する。他方、検索の指示を含んでいないと判断した場合（ステップＳ６０３：Ｎｏ）は、ステップＳ６１３に進む。
【００４６】
ユーザ認証の指示がある場合（ステップＳ６０４：Ｙｅｓ）は、ステップＳ６０５において、ユーザ認証用のＩＤやパスワードを用いて一般的なユーザ認証を行ない、ステップＳ６０６において、認証された場合（ステップＳ６０６：Ｙｅｓ）は、ステップＳ６０８に進む一方、認証されなかった場合（ステップＳ６０６：Ｎｏ）は、ステップＳ６０７において、ユーザ認証エラーを表示した上で、本画像出力処理を終了する。他方、ユーザ認証の指示がない場合（ステップＳ６０４：Ｎｏ）は、ステップＳ６０８に進む。
【００４７】
次に、ステップＳ６０８において、ステップＳ６０３で「ある」と判断された検索の指示が、文書データや表データのようなファイルを検索する指示データを含んでいるのか、あるいはＷｅｂデータを検索する指示データを含んでいるのかを判断する。
【００４８】
ステップＳ６０８でファイルを検索する指示データを含んでいると判断された場合（ステップＳ６０８：Ｙｅｓ）は、ステップＳ６０９において、「ファイルデータの検索処理」を実行し、ステップＳ６０８でＷｅｂデータを検索する指示データを含んでいると判断された場合（ステップＳ６０８：Ｎｏ）は、ステップＳ６１０において、「Ｗｅｂデータの検索処理」を実行する。
【００４９】
ここで、ステップＳ６０９の「ファイルデータの検索処理」およびステップＳ６１０の「Ｗｅｂデータの検索処理」の詳細について、図７および図８を用いて説明する。
図７は、「ファイルデータの検索処理」の流れを示すフローチャートである。
【００５０】
まず、ステップＳ７００において、図６のステップＳ６０３で「ある」と判断された検索の指示に含まれる指示データによって指定されたファイルの更新日付を検索する。
次に、ステップＳ７０１において、指定されたファイルが検索されたか否かを判断し、検索されなかった場合（ステップＳ７０１：Ｎｏ）は、ステップＳ７０２において、デフォルトとしてオフに設定されている検索エラーフラグをオンにして、本ファイルデータの検索処理を終了して図６の画像出力処理に戻る。他方、検索された場合（ステップＳ７０１：Ｙｅｓ）は、ステップＳ７０３において、検索されたファイルデータの更新日付と図６のステップＳ６０１で読込んだ原紙の前回更新日付とを比較する。
【００５１】
そして、ステップＳ７０４において、ステップＳ７０３で比較した結果により更新が必要であるか否か（検索されたファイルデータの更新日付と図６のステップＳ６０１で読込んだ原紙の前回更新日付とが異なっているか否か）を判断する。
【００５２】
更新が必要であると判断した場合（ステップＳ７０４：Ｙｅｓ）は、ステップＳ７０５において、図６のステップＳ６０３で「ある」と判断された検索の指示に含まれる指示データによって指定されたファイルのフアイルデータを検索し、ステップＳ７０６において、図６のステップＳ６０１で読込んだ読込画像を、ステップＳ７０５で検索したファイルデータで置き換えて図６の画像出力処理に戻る。他方、ステップＳ７０４で更新が必要でないと判断した場合（ステップＳ７０４：Ｎｏ）は、本ファイルデータの検索処理を終了して図６の画像出力処理に戻る。
【００５３】
図８は、「Ｗｅｂデータの検索処理」の流れを示すフローチャートである。
まず、ステップＳ８００において、図６のステップＳ６０３で「ある」と判断された検索の指示に含まれる指示データによってＵＲＬで指定されたＷｅｂデータの更新日付を検索する。
【００５４】
次に、ステップＳ８０１において、指定されたＷｅｂデータが検索されたか否かを判断し、検索されなかった場合（ステップＳ８０１：Ｎｏ）は、ステップＳ８０２において、デフォルトとしてオフに設定されている検索エラーフラグをオンにして、本ファイルデータの検索処理を終了して図６の画像出力処理に戻る。他方、検索された場合（ステップＳ８０１：Ｙｅｓ）は、ステップＳ８０３において、検索されたＷｅｂデータの更新日付と図６のステップＳ６０１で読込んだ原紙の前回更新日付とを比較する。
【００５５】
そして、ステップＳ８０４において、ステップＳ８０３で比較した結果により更新が必要であるか否か（検索されたＷｅｂデータの更新日付と図６のステップＳ６０１で読込んだ原紙の前回更新日付とが異なっているか否か）を判断する。
【００５６】
更新が必要であると判断した場合（ステップＳ８０４：Ｙｅｓ）は、ステップＳ８０５において、図６のステップＳ６０３で「ある」と判断された検索の指示に含まれる指示データによって指定されたＷｅｂデータを検索し、ステップＳ８０６において、図６のステップＳ６０１で読込んだ読込画像を、ステップＳ８０５で検索したＷｅｂデータで置き換えて図６の画像出力処理に戻る。他方、ステップＳ８０４で更新が必要でないと判断した場合（ステップＳ８０４：Ｎｏ）は、本ファイルデータの検索処理を終了して図６の画像出力処理に戻る。
【００５７】
図６の説明に戻り、ステップＳ６１１において、検索エラーフラグがオンであるか否かを判断し、オンであれば（ステップＳ６１１：Ｙｅｓ）、ステップＳ６１２において、検索エラーである旨を表示して本画像出力処理を終了する。他方、検索エラーフラグがオフであれば（ステップＳ６１１：Ｎｏ）、ステップＳ６１３に進む。
【００５８】
ステップＳ６１３においては、読込画像あるいはファイルデータ等により置き換えられた画像を印刷出力する。すなわち、ステップＳ６０３で検索の指示がないと判断した場合は、そのまま読込画像を印刷出力し、ステップＳ６０３で検索の指示があると判断され、さらにステップＳ６０８でファイルを検索する指示データを含んでいると判断された場合は、ファイルデータで置き換えた画像を印刷出力し、ステップＳ６０３で検索の指示があると判断され、さらにステップＳ６０８でＷｅｂデータを検索する指示データを含んでいると判断された場合は、Ｗｅｂデータで置き換えた画像を印刷出力する。
【００５９】
なお、ファイルデータあるいはＷｅｂデータで置き換えた画像を印刷出力する場合は、最新の更新日付を例えば用紙の最上部の右端に出力する。これが、次回の複写時に前回更新日付となる。
【００６０】
以上、図１乃至図８を用いて、本発明を説明してきた。次に、本発明を適用した複写機の出力例を示す。
図９は、ファイルデータの複写出力例１を示す図である。
【００６１】
読取画像に含まれる指示データは「＃＄ＤＡＴＡ：C￥￥１２８．１．５０．２５￥ＣＯＭＭＯＮ￥座席表．ｘｌｓ」である。複写機１０は、ユーザ認証をした後、「￥￥１２８．１．５０．２５￥ＣＯＭＭＯＮ￥」で指定されたネットワーク２０上のファイルである「座席表．ｘｌｓ」が、２００４／１２／１０に更新されていたので検索して印刷出力する。
【００６２】
図１０は、ファイルデータの複写出力例２を示す図である。
読取画像に含まれる指示データは「＃＄ＤＡＴＡ：C￥￥１２８．１．５０．２５￥ＣＯＭＭＯＮ￥座席表．ｘｌｓ」である。複写機１０は、ユーザ認証をした後、「￥￥１２８．１．５０．２５￥ＣＯＭＭＯＮ￥」で指定されたネットワーク２０上のファイルである「座席表．ｘｌｓ」が、２００５／２／１６に更新されていたので検索して印刷出力する。この図１０は図９の内容が更新されて最新の内容になっている。
【００６３】
図１１は、ファイルデータの複写出力例３を示す図である。
読取画像に含まれる指示データは「＃＄ＤＡＴＡ：C￥￥１２８．１．５０．２５￥ＣＯＭＭＯＮ￥座席表．ｘｌｓ  ＃＄ＯＰ：ｓｈｅｅｔ１，ｓｈｅｅｔ２」である。複写機１０は、ユーザ認証をした後、「￥￥１２８．１．５０．２５￥ＣＯＭＭＯＮ￥」で指定されたネットワーク２０上のファイルである「座席表．ｘｌｓ」を検索し、「＃＄ＯＰ：（オプション指定）ｓｈｅｅｔ１，ｓｈｅｅｔ２」で指定されたｓｈｅｅｔ１とｓｈｅｅｔ２のファイルを印刷出力する。この図１１は、1ページ目がｓｈｅｅｔ１のＡ課とＢ課の座席表、２ページ目がｓｈｅｅｔ２のＣ課とＤ課の座席表を表す。
【００６４】
図１２は、ファイルデータの複写出力例４を示す図である。
読取画像に含まれる指示データは「＃＄ＤＡＴＡ：C￥￥１２８．１．５０．２５￥ＣＯＭＭＯＮ￥座席表．ｘｌｓ  ＃＄ＯＰ：ｓｈｅｅｔ１，ｓｈｅｅｔ２／Ａ４」である。複写機１０は、ユーザ認証をした後、「￥￥１２８．１．５０．２５￥ＣＯＭＭＯＮ￥」で指定されたネットワーク１０上のファイルである「座席表．ｘｌｓ」を検索し、＃＄ＯＰ：（オプション指定）ｓｈｅｅｔ１，ｓｈｅｅｔ２／Ａ４」で指定されたｓｈｅｅｔ１とｓｈｅｅｔ２をＡ４サイズの同一ページでファイルを印刷出力する。この図１２は、左半分がｓｈｅｅｔ１のＡ課とＢ課の座席表、右半分がｓｈｅｅｔ２のＣ課とＤ課の座席表を表す。
【００６５】
図１３は、Ｗｅｂデータの複写出力例を示す図である。
読取画像に含まれる指示データは「＃＄ＤＡＴＡ：ｈｔｔｐ：／／ｗｗｗ．ａｂｃ．ｃｏ．ｊｐ／ｒａｎｋ／ｐｃ．ｈｔｍｌ」である。複写機１０は、ユーザ認証をした後、「ｈｔｔｐ：／／ｗｗｗ．ａｂｃ．ｃｏ．ｊｐ／ｒａｎｋ／ｐｃ．ｈｔｍｌ」で指定されたインターネット１０上のＷｅｂ画面を検索して印刷出力する。
【００６６】
図１４は、ＷｅｂデータのＦＡＸ出力例を示す図である。
読取画像に含まれる指示データは「＃＄ＤＡＴＡ：ｈｔｔｐ：／／ｗｗｗ．ａｂｃ．ｃｏ．ｊｐ／ｒａｎｋ／ｐｃ．ｈｔｍｌ  ＃＄ＦＡＸ：０３−１２３４−５６７８」である。複写機１０は、ユーザ認証をした後、「ｈｔｔｐ：／／ｗｗｗ．ａｂｃ．ｃｏ．ｊｐ／ｒａｎｋ／ｐｃ．ｈｔｍｌ」で指定されたインターネット１０上のＷｅｂ画面を検索し、「＃＄ＦＡＸ：０３−１２３４−５６７８」で指定されたＦＡＸ送信先へファクシミリ送信する。
【００６７】
以上、本発明の実施の形態を、図面を参照しながら説明してきたが、本発明が適用される画像出力装置（複写機１０）は、ユーザ認証をｗｅｂサイトで行ない、認証結果を複写機１０で判別するようにしてもよい。
【００６８】
また、指定データの項目は、必要な機能に合わせて追加してもよい。また、指定データは二次元コードにしてもよいし、手書き入力にしてもよい。
また、指定データの設定領域は、原紙の最上部だけでなく原紙の最下部や他の場所でもよい。
【００６９】
また、前回更新日付は、紙の最上部の右端だけでなく原紙の最下部や他の場所でもよい。
また、ユーザ毎に検索に応じて課金処理を行なうようにしてもよい。
【００７０】
また、本発明が適用される画像出力装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００７１】
すなわち、本発明は、以上に述べた実施の形態に限定されるものではなく、本発明の要旨を逸脱しない範囲内で種々の構成または形状を取ることができる。
【図面の簡単な説明】
【００７２】
【図１】本発明を適用した複写機の機能ブロック図である。
【図２】本発明を適用した複写機により構成される第１の実施の形態における複写システムのシステム構成図である。
【図３】本発明を適用した複写機により構成される第２の実施の形態における複写システムのシステム構成図である。
【図４】本発明を適用した複写機により構成される第３の実施の形態における複写システムのシステム構成図である。
【図５】本発明を適用した複写機のハードウェア構成を示す図である。
【図６】本発明を適用した複写機において実行される画像出力処理の流れを示すフローチャートである。
【図７】「ファイルデータの検索処理」の流れを示すフローチャートである。
【図８】「Ｗｅｂデータの検索処理」の流れを示すフローチャートである。
【図９】ファイルデータの複写出力例１を示す図である。
【図１０】ファイルデータの複写出力例２を示す図である。
【図１１】ファイルデータの複写出力例３を示す図である。
【図１２】ファイルデータの複写出力例４を示す図である。
【図１３】Ｗｅｂデータの複写出力例を示す図である。
【図１４】ＷｅｂデータのＦＡＸ出力例を示す図である。
【符号の説明】
【００７３】
１０    複写機
１１    複写部
１２    ファイルサーバ部
１３    ＦＡＸ部
１４    指示データ解析手段
１５    検索手段
１６    判断手段
２０    ネットワーク
３０    Ｗｅｂサーバ
４０    ファイルサーバ
５０    固定電話ネットワーク
１１１  画像読取部
１１２  画像印刷部
１１３  読取画像データ格納部
５００  バス
５０１  ＣＰＵ
５０２  ＲＯＭ
５０３  ＲＡＭ
５０４  Ｖ−ＲＡＭ
５０５  外部記憶部
５０６  キー入力部
５０７  表示部
５０８  イメージ読取部
５０９  印刷部
５１０  通信Ｉ／Ｆ（インターネット用）
５１１  通信Ｉ／Ｆ（ＦＡＸ用）
【図１】
2006261781.tif 000003
【図２】
2006261781.tif 000004
【図３】
2006261781.tif 000005
【図４】
2006261781.tif 000006
【図５】
2006261781.tif 000007
【図６】
2006261781.tif 000008
【図７】
2006261781.tif 000009
【図８】
2006261781.tif 000010
【図９】
2006261781.tif 000011
【図１０】
2006261781.tif 000012
【図１１】
2006261781.tif 000013
【図１２】
2006261781.tif 000014
【図１３】
2006261781.tif 000015
【図１４】
2006261781.tif 000016